(57)【特許請求の範囲】
【請求項１】
周縁部に補強フレームを備えたユニットと、
このユニットを収容した筐体と、
上記補強フレームの内側の縁に重なる位置で上記筐体と上記ユニットの間に配置された弾性部材と、
を有する電子機器。
【請求項２】
上記補強フレームは枠状であり、
上記ユニットは表示ユニットである、
請求項１の電子機器。
【請求項３】
上記弾性部材は、上記補強フレームの内側の縁に沿って連続的に配置される、
請求項２の電子機器。
【請求項４】
上記弾性部材は、上記表示ユニットの厚み方向に沿って材質の異なる複数の部材を積層した構造を有する、
請求項２または請求項３の電子機器。
【請求項５】
上記複数の部材は、ゴム、スポンジ、絶縁フィルム、およびこれらの部材を上記筐体の内面に貼り付けるための両面テープのうち少なくとも２種を含む、
請求項４の電子機器。
【請求項６】
上記複数の部材は、上記筐体に近い部材の方が上記表示ユニットに近い部材より硬い、
請求項４の電子機器。
【請求項７】
上記弾性部材に重なる上記筐体の内面に突出部分がある場合、上記弾性部材は、この突出部分に重なる部位の厚みを部分的に薄くした、
請求項３の電子機器。
【発明の詳細な説明】
【技術分野】
【０００１】
本発明の実施形態は、例えば液晶ディスプレイユニットなどの表示ユニットを有するポータブルコンピュータなどの電子機器に関する。
【背景技術】
【０００２】
一般に、ノート型のポータブルコンピュータ（ノートＰＣ）は、本体の一端にヒンジ機構を介して表示パネルを開閉可能に接続した構造を有する。表示パネルは、背面カバーの内側に表示ユニットを収容して表面側の周囲にマスクを配置した構造を有する。
【０００３】
背面カバーの内側に表示ユニットを収容する場合、ノートＰＣを落下した際などの外部からの衝撃を吸収するため、背面カバー内面と表示ユニット背面との間に弾性部材を介在させる。つまり、弾性部材を介してカバーの内側に表示ユニットを保持せしめる。
【先行技術文献】
【特許文献】
【０００４】
【特許文献１】特開２００６−９９２４２号公報
【発明の概要】
【発明が解決しようとする課題】
【０００５】
しかし、衝撃吸収の目的で設けられた弾性部材は、複数個所に分かれて断続的に配置されることが多い。このため、マスクを表面側から局所的に押圧した際などに、弾性部材の無い部位に応力が集中して、表示ユニットに割れ等の不具合を生じる可能性があった。
【０００６】
よって、表示ユニットを安定して保持できる電子機器の開発が望まれている。
【課題を解決するための手段】
【０００７】
実施形態に係る電子機器は、ユニットを収容した筐体を有する。ユニットは、その周縁部に補強フレームを備えている。補強フレームの内側の縁に重なる位置で筐体とユニットの間には、弾性部材が配置される。
【図面の簡単な説明】
【０００９】
【図１】図１は、実施形態に係るテレビジョン受像機を示す外観図である。
【図２】図２は、実施形態に係るノートＰＣを示す外観斜視図である。
【図３】図３は、図２のノートＰＣの表示パネルの分解斜視図である。
【図４】図４は、図３の背面カバーを内側から見た平面図である。
【図５】図５は、図４の弾性部材のレイアウトを説明するための概略図である。
【図６】図６は、図５の弾性部材に対する表示ユニットの位置関係を示す概略図である。
【図７】図７は、図６のＦ７−Ｆ７に沿う断面図である。
【図８】図８は、図６のＦ８−Ｆ８に沿う断面図である。
【発明を実施するための形態】
【００１０】
以下、図面を参照しながら実施形態について詳細に説明する。  
図１は、実施形態に係るテレビジョン受像機１０の外観斜視図である。
【００１１】
テレビジョン受像機１０は、ＬＣＤ（Liquid Crystal Display）などの表示ユニット２、この表示ユニット２の側面および背面（ここで言う背面とは、単に、表示ユニット２の表示画面２ａと反対側という意味である）を覆う背面カバー４（筐体）、および表示ユニット２の前面側に配置された矩形枠状のマスク６を有する。また、テレビジョン受像機１０は、表示ユニット２と背面カバー４の間に取り付けられた図示しないシャシーに固定されたスタンドアッシー８を有する。
【００１２】
表示ユニット２は、略矩形の扁平な板状に形成されている。また、表示ユニット２は、その表示画面２ａ側に透明なガラス製のフロントパネルを有する。さらに、表示ユニット２は、その周縁部に金属製の枠状の補強フレーム（ここでは図示せず）を備えている。補強フレームは、フロントパネルの周縁部近くで表示画面２ａに重なる縁を有する。この表示ユニット２は、基板に実装された電子部品等で構成された制御回路に含まれる映像信号処理回路（いずれも図示せず）から映像信号を受け取り、静止画や動画等の映像を表示する。
【００１３】
テレビジョン受像機１０の制御回路は、映像信号処理回路の他、いずれも図示しないチューナ部や、ＨＤＭＩ（High-Definition Multimedia Interface）信号処理部、ＡＶ（Audio Video）入力端子、リモコン信号受信部、制御部、セレクタ、オンスクリーンディスプレイインタフェース、記憶部（例えば、ＲＯＭ（Read Only Memory）、ＲＡＭ（Random Access Memory）、ＨＤＤ（Hard Disk Drive）等、音声信号処理回路等を有している。また、テレビジョン受像機１０は、音声出力用のアンプやスピーカー等（図示せず）も内蔵している。
【００１４】
背面カバー４は、表示ユニット２の側面に少なくとも一部が面した略矩形枠状の周壁、および表示ユニット２の背面を覆う略矩形板状の底壁を有する。本実施形態では、周壁は、表示ユニット２の全周を囲むように連続して設けられている。なお、背面カバー４の底壁の内面には、周壁から内側に離間した位置で周壁に沿って枠状に略連続して配置された弾性部材（ここでは図示せず）が貼り付けられている。
【００１５】
この枠状の弾性部材は、表示ユニット２の周辺部に沿って設けられた補強フレームの内側の縁（表示画面２ａに重なる縁）に重なる位置に配置される。これにより、テレビジョン受像機１０を持ち運ぶ際などに、マスク６が押圧されたとき、補強フレームの縁と表示ユニット２との間の境界部分に応力が集中することを防止でき、表示ユニット２のフロントパネルがこの境界部分で割れる不具合を防止できる。
【００１６】
なお、この弾性部材は、基本的に、厚さの異なる表示ユニットを同じ厚さの背面カバー４内に取り付ける場合に、厚さの違いを補正するためのスペーサとして機能する。このため、この弾性部材は、表示ユニットの厚さ方向の実装位置を安定させることのできる硬さを有する必要があり、外部から加えられる力を吸収する目的で単に弾性を有するだけでは十分に機能を果たさない。このような弾性部材の構成および機能については、以下の実施形態で詳述するため、ここでは詳細な説明を省略する。
【００１７】
図２は、実施形態に係る電子機器の一例であるノート型のパーソナルコンピューター２０（以下、単に、ノートＰＣ２０と称する）の外観斜視図である。図２では、ノートＰＣ２０の表示パネル２４を本体２２に対して開いた状態を図示してある。つまり、表示パネル２４は、左右２つのヒンジ２３を介して、本体２２の後端に回転自在に取り付けられており、図示のように開いた状態、または本体２２の上面を塞ぐ閉じた状態に配置可能である。
【００１８】
図２に示すように、表示パネル２４で覆われる本体２２の上面には、キーボード２２ａやタッチパッド２２ｂが設けられている。一方、表示パネル２４の内面には、表示ユニット２の表示画面２ａが露出している。つまり、表示パネル２４の表示画面２ａを本体２２の上面に重ねた状態（図示せず）で、表示画面２ａがキーボード２２ａやタッチパッド２２ｂに近接対向する。
【００１９】
図３は、表示パネル２４を前面側から見た分解斜視図である。表示パネル２４は、略矩形板状の表示ユニット２（ユニット）、表示ユニット２の側面および背面を覆う背面カバー４（筐体）、および表示ユニット２の表示画面２ａの周縁部を部分的に枠状に覆うように配置された矩形枠状のマスク６を有する。これら表示ユニット２、背面カバー４、およびマスク６は、基本的に、上述した実施形態のテレビジョン受像機１０のものと同様に機能する。
【００２０】
表示ユニット２は、その表示画面２ａ側に透明なガラス製のフロントパネル２５（図７参照）を有する。また、表示ユニット２は、その周縁部に略矩形枠状の金属製の補強フレーム２ｂを備えている。補強フレーム２ｂは、フロントパネル２５の周縁部近くで表示画面２ａに重なる矩形枠状の縁部２ｃを有する。この表示ユニット２は、本体２２の上面に配置されたキーボード２２ａやタッチパッド２２ｂを介した入力操作に応じた画像を表示する。
【００２１】
図４は、背面カバー４を内側、すなわち表示ユニット２側から見た平面図である。背面カバー４は、表示ユニット２の背面に対向する底壁４ａ、および底壁４ａの周縁から立ち上がった略矩形枠状の周壁４ｂを有する。周壁４ｂは、表示ユニット２の側面、すなわち表示ユニット２の周縁にある補強フレーム２ｂの側面に離間して対向する。
【００２２】
背面カバー４の底壁４ａの内面には、周壁４ｂから内側に離間した位置で周壁４ｂに沿って枠状に略連続して配置された複数の細長い弾性部材３０が貼り付けられている。これら複数の弾性部材３０は、表示ユニット２を背面カバー４内に配置した状態で、表示ユニット２の周縁部にある補強フレーム２ｂの内側の縁に重なる位置に配置されている。ここで言う補強フレーム２ｂの内側の縁とは、表示ユニット２の表示画面２ａに重なる補強フレーム２ｂの縁部２ｃである。複数の弾性部材３０は、理想的には、枠状につなげて配置することが望ましい。
【００２３】
また、これら複数の弾性部材３０の外側で、且つ背面カバー４の周壁４ｂの内側に離間した位置には、背面カバー４の底壁４ａの内面から一体に立ち上げられた複数のリブ３２が突設されている。これら複数のリブ３２は、表示ユニット２の背面側の周辺部を複数の弾性部材３０に接触させた状態で表示ユニット２を背面カバー４内にセットしたとき、表示ユニット２の周囲にある補強フレーム２ｂの側面に近接して対向する位置に設けられている。そして、各リブ３２が表示ユニット２の側面に対向する内側の面には、緩衝部材３２ａが貼り付けられている。
【００２４】
すなわち、背面カバー４内に表示ユニット２を配置する際、表示ユニット２の周縁部にある補強フレーム２ｂの側面、すなわち表示ユニット２の側面が複数のリブ３２によって案内され、表示ユニット２の背面側の周縁部（実質的には補強フレーム２ｂ）が複数の弾性部材３０の上に載置される。
【００２５】
この状態で、背面カバー４の底壁４ａに貼り付けられた複数の弾性部材３０は、表示ユニット２の背面をその周縁部近くで接触支持し、表示ユニット２をその厚さ方向に沿った所定の実装位置に位置決めする。また、この状態で、各リブ３２の内側の面に貼り付けられた緩衝部材３２ａは、表示ユニット２の側面を緩衝的に保持する。
【００２６】
つまり、表示ユニット２は、複数の弾性部材３０および複数の緩衝部材３２ａによって位置決めされて背面カバー４の内側で緩衝的に保持される。このため、本実施形態では、表示ユニット２を背面カバー４に対して締結固定することなく背面カバー４内に取り付けている。
【００２７】
この際、弾性部材３０は、基本的に、スペーサとして機能する。つまり、同じサイズの背面カバー４に厚さの異なる表示ユニット２を取り付ける場合、厚さの違いを補正するためのスペーサが必要となる。本実施形態では、比較的薄い表示ユニット２を比較的厚い背面カバー４に取り付けるため、スペーサとして機能する弾性部材３０が必要となる。このため、弾性部材３０を設けないで済む厚さの表示ユニットと比較して、本実施形態の表示ユニット２は薄いため、機械強度も弱いことが予想される。
【００２８】
薄い表示ユニット２を背面カバー４の内側に安定して保持せしめるため、理想的には、背面カバー４の底壁４ａと表示ユニット２の背面との間の空間を全て埋めるような面積の大きい弾性部材を配置することが望ましい。しかし、弾性部材３０の面積を大きくするとその分コストが嵩むとともに、ノートＰＣ２０が重くなるため、弾性部材３０の大きさや配置位置は適正な値に設計する必要がある。
【００２９】
以下、図５乃至図８を参照して、弾性部材３０の構造および機能についてより詳細に説明する。  
図５は、背面カバー４の底壁４ａの内面に複数の弾性部材３０を貼り付けた状態を示す概略図であり、図６は、図５に表示ユニット２の外形と補強フレーム２ｂの縁部２ｃを破線で書き加えた平面図である。また、図７は、図６のＦ７−Ｆ７に沿った部分断面図であり、図８は、図６のＦ８−Ｆ８に沿った部分断面図である。
【００３０】
図５および図６に示すように、複数の弾性部材３０は、補強フレーム２ｂの内側の縁部２ｃに沿って略連続するように環状につなげて配置されている。本実施形態では、背面カバー４のヒンジ２３から離間した側の端辺に沿って配置されたアンテナ３３やカメラ３４などの電子部品を接続する配線３５を、背面カバー４の底壁４ａの内面に沿って図示のようにレイアウトしたため、これら配線３５によって弾性部材３０の連続性が損なわれている。しかし、配線３５の幅は数ｍｍ程度であるため、複数の弾性部材３０は、環状に略連続してつながっていると言える。
【００３１】
より具体的には、図７に示すように、補強フレーム２ｂは、その全周にわたって、表示ユニット２の周縁部を囲むように断面Ｕ字形に折り曲げられており、その表示画面２ａ側の環状の縁部２ｃがフロントパネル２５の外周縁に近接している。また、表示ユニット２の背面側にある補強フレーム２ｂの図示しない縁部は、少なくとも弾性部材３０が配置された位置より内側にある。そして、弾性部材３０は、図６および図７に示すように、補強フレーム２ｂの表示画面２ａ側の縁部２ｃに重なるように枠状に連続して配置されている。
【００３２】
上記のように弾性部材３０を縁部２ｃに沿ってレイアウトすることにより、例えば、マスク６を介して表示パネル２４の周縁部が押圧されたとき、表示ユニット２が押圧方向に局所的に変位することを殆ど無くすことができる。これにより、機械強度が比較的弱いとされる補強フレーム２ｂの縁部２ｃとフロントパネル２５との間の境界部分において、押圧による応力集中によってフロントパネル２５を破損する不具合を防止することができ、表示ユニット２を安定して保持することができる。
【００３３】
これに対し、弾性部材３０が補強フレーム２ｂの縁部２ｃの内側或は外側にずれた位置、すなわち縁部２ｃに重ならない位置にレイアウトされた場合、マスク６の外側から押圧力が加わると、縁部２ｃとフロントパネル２５との間の境界部分において応力集中による破損を生じる可能性がある。また、このような不具合は、弾性部材３０が縁部２ｃに沿って断続的にレイアウトされた場合にも生じる可能性がある。つまり、弾性部材３０が配置されていない部位で境界部分に押圧力が作用すると、この部分でフロントパネル２５に割れを生じ易い。
【００３４】
一方で、弾性部材３０は、ノートＰＣ２０を落下した場合など、外部から強い衝撃が加えられた場合に、表示ユニット２を緩衝的に保持する緩衝部材としての機能も担う。このため、本実施形態では、弾性部材３０を２層構造とした。つまり、背面カバー４の底壁４ａの内面に図示しない両面テープで比較的硬いゴムの層３０ａを貼り付け、その上に比較的柔らかいスポンジの層３０ｂを貼り付けた。
【００３５】
弾性部材３０は、このような２層構造に限らず、３層以上を重ねた構造であっても良い。例えば、両面テープで貼り付けたプラスティックフィルム（絶縁フィルム）などのインシュレータの層の上にスポンジを重ねたり、インシュレータ層の上にゴム層を重ねたりしても良い。この場合、両面テープも弾性部材３０の層に含まれても良い。いずれにしても、弾性部材３０の各層は、背面カバー４の底壁４ａに近い層の方が表示ユニット２の背面に近い層より硬いことが望ましい。
【００３６】
上記のように、表示ユニット２の厚み方向に沿って材質の異なる複数の部材を積層して弾性部材３０を構成することにより、弾性部材３０の硬さを所望する値に設計することができ、表示ユニット２の厚み方向の位置決めおよび緩衝的な保持の両面で満足のいく硬さに設計できる。また、背面カバー４の底壁４ａに近い層を硬くすることで、底壁４ａの内面に対する弾性部材３０の接着性を向上させることができ、弾性部材３０の耐久性を向上させることができる。
【００３７】
また、図８に示すように、背面カバー４の底壁４ａの内面にリブなどの突起４０がある場合、この突起４０に重なる弾性部材３０の部位を部分的に薄くする。これにより、突起４０の部位でより強い力が作用してしまう不具合を防止でき、フロントパネル２５の割れなどの不具合をより確実に防止できる。
【００３８】
この際、図８に示した例のように１層の弾性部材３０の厚さを部分的に薄くするのは比較的容易であるが、２層以上の積層構造を有する弾性部材３０では層の厚さを変更するのは容易ではない。このような場合、例えば、弾性部材３０を底壁４ａの内面に貼り付ける両面テープの厚さを変える方法が考えられる。つまり、突起４０のある部位で比較的薄い両面テープを用いることで応力集中の問題を解消できる。
【００３９】
以上述べた少なくともひとつの実施形態の電子機器によれば、表示ユニット２の補強フレーム２ｂの縁部２ｃに重なる弾性部材３０を有することにより、表示ユニット２を背面カバー４の内側で安定して保持することができる。
【００４０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４１】
例えば、上述した実施形態では、複数の同じ構造を有する弾性部材３０を表示ユニット２の補強フレーム２の縁部２ｃに沿って連続してレイアウトした場合について説明したが、これに限らず、弾性部材３０の材質や層構造はその配置場所に応じて適宜変更しても良い。
【００４２】
例えば、図４において、図示上端に配置した３つの弾性部材３０を他の部位に配置した弾性部材３０より硬くしても良い。ノートＰＣ２０は、表示パネル２４を本体２２に対して開閉させる際、一般に、ヒンジ２３から離間した表示パネル２４の回動の先端縁を手で持って操作する。また、表示パネル２４を開いた状態のまま持ち運びする際にはこの回動の先端縁を手でつまんで持つことも考えられる。つまり、ヒンジ２３から離間した回動の先端において表示パネル２４には他の部位と比較してより強い外力が作用することが予想される。このため、この部分に配置した弾性部材３０を例えば１層のゴムにより形成して他より硬くして押圧に対する耐性を向上させるようにしても良い。
以下、本願の出願当初の特許請求の範囲に記載された発明を付記する。
［１］
周縁部に枠状の補強フレームを備えた表示ユニットと、
この表示ユニットを収容した筐体と、
上記補強フレームの内側の縁に重なる位置で上記筐体と上記表示ユニットの間に配置された弾性部材と、
を有するテレビジョン受像機。
［２］
上記弾性部材は、上記補強フレームの内側の縁に沿って連続的に配置される、
［１］のテレビジョン受像機。
［３］
上記弾性部材は、上記表示ユニットの厚み方向に沿って材質の異なる複数の部材を積層した構造を有する、
［１］または［２］のテレビジョン受像機。
［４］
上記複数の部材は、ゴム、スポンジ、絶縁フィルム、およびこれらの部材を上記筐体の内面に貼り付けるための両面テープのうち少なくとも２種を含む、
［３］のテレビジョン受像機。
［５］
上記複数の部材は、上記筐体に近い部材の方が上記表示ユニットに近い部材より硬い、
［３］のテレビジョン受像機。
［６］
上記弾性部材に重なる上記筐体の内面に突出部分がある場合、上記弾性部材は、この突出部分に重なる部位の厚みを部分的に薄くした、
［２］のテレビジョン受像機。
［７］
補強フレームを備えたユニットと、
このユニットを収容した筐体と、
上記補強フレームの縁に重なる位置で上記筐体と上記ユニットの間に配置された弾性部材と、
を有する電子機器。
【符号の説明】
【００４３】
１…、２…表示ユニット、２ａ…表示画面、２ｂ…補強フレーム、２ｃ…縁部、４…背面カバー、４ａ…底壁、４ｂ…周壁、６…マスク、１０…テレビジョン受像機、２０…ノートＰＣ、２２…本体、２３…ヒンジ、２４…表示パネル、３０…弾性部材、３２…リブ、３２ａ…緩衝部材、４０…突起。
【要約】
【課題】表示ユニットを安定して保持できるテレビジョン受像機、および電子機器を提供することを課題とする。
【解決手段】実施形態に係るテレビジョン受像機は、表示ユニットを収容した筐体を有する。表示ユニットは、その周縁部に枠状の補強フレームを備えている。補強フレームの内側の縁に重なる位置で筐体と表示ユニットの間には、弾性部材が配置される。
【選択図】      図１【図１】
0005330566.tif 000002
【図２】
0005330566.tif 000003
【図３】
0005330566.tif 000004
【図４】
0005330566.tif 000005
【図５】
0005330566.tif 000006
【図６】
0005330566.tif 000007
【図７】
0005330566.tif 000008
【図８】
0005330566.tif 000009